(57)【要約】【課題】  ユーザの意図に反してデータが流出することを防止する。【解決手段】  携帯電話機１は、無線通信部３１と、５軸センサ５と、第１記憶部２８と、処理部２３と、第２記憶部２９と、第１判定部２４と、内部データ記憶部３３と、読出部２６とを含む。無線通信部３１は、通信する。５軸センサ５は、加速度を検出する。第１記憶部２８は、加速度を表わす情報を、検出の順序に対応付けて記憶する。処理部２３は、無線通信部３１が情報を受信すると、第１記憶部２８に情報を記憶させる。第２記憶部２９は、図形を表わす情報を記憶する。第１判定部２４は、図形が一致するか否かを判定する。内部データ記憶部３３は、情報を記憶する。読出部２６は、図形が一致する場合、リーダライタ４０に、内部データ記憶部３３が記憶した情報を送信するように、無線通信部３１を制御する。【選択図】        図１
2007005967.tif 000002
【特許請求の範囲】
【請求項１】
通信するための通信手段と、
外力を受けると、複数の方向について加速度を検出するための検出手段と、
前記検出手段が検出した、複数の方向についての加速度を表わす情報を、前記検出手段が前記加速度を検出した順序に対応付けて記憶するための第１の記憶手段と、
前記通信手段が情報を受信すると、前記検出手段が検出した、複数の方向についての加速度を表わす情報を記憶するように、前記第１の記憶手段を制御するための第１の制御手段と、
図形を表わす情報を記憶するための第２の記憶手段と、
前記第１の記憶手段が記憶した情報と第２の記憶手段が記憶した情報とから、前記検出手段の移動の軌跡が表わす図形である第１の図形と前記第２の記憶手段が記憶した情報が表わす図形である第２の図形とが一致するか否かを判定するための判定手段と、
情報を記憶するための第３の記憶手段と、
前記第１の図形と第２の図形とが一致すると前記判定手段が判定した場合、前記通信手段へ情報を送信した装置に、前記第３の記憶手段が記憶した情報を送信するように、前記通信手段を制御するための第２の制御手段とを含む、通信装置。
【請求項２】
前記第１の記憶手段は、前記検出手段が検出した、複数の方向についての加速度を表わす情報を時系列で記憶するための手段を含み、
前記第２の記憶手段は、前記図形を表わす情報を、複数の方向についての加速度を時系列で表わす情報として記憶するための手段を含み、
前記判定手段は、
記憶された順序が同じで同じ方向についての情報が対応するように、前記第２の記憶手段が記憶した情報のうち前記第１の記憶手段が記憶した情報に対応する情報を決定するための決定手段と、
前記第１の記憶手段が情報として記憶した加速度と前記決定手段が決定した情報が表わす加速度との差に対応する値である対応値を演算するための演算手段と、
前記対応値が閾値以下か否かを判定するための手段とを含み、
前記第２の制御手段は、前記演算手段が演算した値が閾値以下である場合、前記通信手段へ情報を送信した装置に、前記第３の記憶手段が記憶した情報を送信するように、前記通信手段を制御するための手段を含む、請求項１に記載の通信装置。
【請求項３】
前記演算手段は、前記対応値として、それぞれ前記第１の記憶手段が情報として記憶した加速度と前記決定手段が決定した情報が表わす加速度との差である、複数の値の和を演算するための手段を含む、請求項２に記載の通信装置。
【請求項４】
前記通信装置は、
ユーザから情報を受付けるための第１の受付手段と、
前記第１の受付手段が図形を教示することを表わす情報を受付けると、前記検出手段が検出した、複数の方向についての加速度を時系列で表わす情報を記憶するように、前記第２の記憶手段を制御するための手段とをさらに含む、請求項２に記載の通信装置。
【請求項５】
前記第２の記憶手段は、前記図形を表わす情報を、加速度の推移についての要件により表わす情報である、要件情報として記憶するための手段を含み、
前記判定手段は、
前記第１の記憶手段が記憶した情報から、前記検出手段が検出した加速度の推移を検出するための手段と、
前記検出手段が検出した加速度の推移が、前記要件情報が表わす要件を満たすか否かを判定するための手段とを含み、
前記第２の制御手段は、前記検出手段が検出した加速度の推移が、前記要件情報が表わす要件を満たす場合、前記通信手段へ情報を送信した装置に、前記第３の記憶手段が記憶した情報を送信するように、前記通信手段を制御するための手段を含む、請求項１に記載の通信装置。
【請求項６】
前記通信装置は、ユーザから情報を受付けるための第１の受付手段をさらに含み、
前記第１の制御手段は、前記通信手段が情報を受信し、かつ前記受付手段が情報を受付けると、前記検出手段が検出した、複数の方向についての加速度を表わす情報を記憶するように、前記第１の記憶手段を制御するための手段を含む、請求項１に記載の通信装置。
【請求項７】
前記通信装置は、前記第３の記憶手段が記憶した情報を送信したか否かを表わす情報を出力するための第１の出力手段をさらに含む、請求項１に記載の通信装置。
【請求項８】
前記通信装置は、前記第２の記憶手段が記憶する情報を受付けるための第２の受付手段をさらに含む、請求項１に記載の通信装置。
【請求項９】
第１の通信装置と第２の通信装置とを含む通信システムであって、
前記第１の通信装置は、
通信するための通信手段と、
外力を受けると、複数の方向について加速度を検出するための検出手段と、
前記検出手段が検出した、複数の方向についての加速度を表わす情報を、前記検出手段が前記加速度を検出した順序に対応付けて記憶するための第１の記憶手段と、
前記通信手段が第２の通信装置から情報を受信すると、前記検出手段が検出した、複数の方向についての加速度を表わす情報を記憶するように、前記第１の記憶手段を制御するための第１の制御手段と、
図形を表わす情報を記憶するための第２の記憶手段と、
前記第１の記憶手段が記憶した情報と第２の記憶手段が記憶した情報とから、前記検出手段の移動の軌跡が表わす図形である第１の図形と前記第２の記憶手段が記憶した情報が表わす図形である第２の図形とが一致するか否かを判定するための判定手段と、
情報を記憶するための第３の記憶手段と、
前記第１の図形と第２の図形とが一致すると前記判定手段が判定した場合、前記第２の通信装置に、前記第３の記憶手段が記憶した情報を送信するように、前記通信手段を制御するための第２の制御手段とを含み、
前記第２の通信装置は、
前記第１の通信装置と通信するための通信手段と、
前記第１の通信手段に情報を送信するように、前記通信手段を制御するための制御手段と、
前記通信手段が受信した情報を記憶するための記憶手段とを含む、通信システム。
【発明の詳細な説明】
【技術分野】
【０００１】
本発明は、通信装置および通信システムに関し、特に、データの不正な送受信に対する保護が可能な通信装置および通信システムに関する。
【背景技術】
【０００２】
特許文献１は、無線信号で送信されてきたデータの読出要求や書込要求に対して、記憶部に記憶しているデータを読出して出力する出力処理や記憶部に送信されてきたデータを書き込む書込処理を行なう非接触媒体において、読出要求や書込要求に対する、出力処理や書込処理を禁止するかどうかを切替える切替手段を備えたことを特徴とする非接触媒体を開示する。
【０００３】
特許文献１に開示された発明によると、所有者が意識的に記憶部に記憶しているデータの読み出しや記憶部へのデータの書き込みの禁止、または、許可を切替えることができるようにすることで、所有者が知らない間にデータの読み出しや書き込みが行われることを防止し、記憶されているデータのセキュリティを向上させることができる。
【特許文献１】特開平１１−８５９２４号公報
【発明の開示】
【発明が解決しようとする課題】
【０００４】
しかし、特許文献１に開示された発明では、ユーザが非接触媒体を所持している時、意図しないタイミングでスイッチが押されると、第三者へデータが流出するという問題点がある。
【０００５】
本発明は上述の問題点を解決するためになされたものであって、その目的は、ユーザの意図に反してデータが流出することを防止できる通信装置および通信システムを提供することにある。
【課題を解決するための手段】
【０００６】
上記目的を達成するために、本発明のある局面にしたがうと、通信装置は、通信手段と、検出手段と、第１の記憶手段と、第１の制御手段と、第２の記憶手段と、判定手段と、第３の記憶手段と、第２の制御手段とを含む。通信手段は、通信する。検出手段は、外力を受けると、複数の方向について加速度を検出する。第１の記憶手段は、検出手段が検出した、複数の方向についての加速度を表わす情報を、検出手段が加速度を検出した順序に対応付けて記憶する。第１の制御手段は、通信手段が情報を受信すると、検出手段が検出した、複数の方向についての加速度を表わす情報を記憶するように、第１の記憶手段を制御する。第２の記憶手段は、図形を表わす情報を記憶する。判定手段は、第１の記憶手段が記憶した情報と第２の記憶手段が記憶した情報とから、検出手段の移動の軌跡が表わす図形である第１の図形と第２の記憶手段が記憶した情報が表わす図形である第２の図形とが一致するか否かを判定する。第３の記憶手段は、情報を記憶する。第２の制御手段は、第１の図形と第２の図形とが一致すると判定手段が判定した場合、通信手段へ情報を送信した装置に、第３の記憶手段が記憶した情報を送信するように、通信手段を制御する。
【０００７】
また、上述の第１の記憶手段は、検出手段が検出した、複数の方向についての加速度を表わす情報を時系列で記憶するための手段を含むことが望ましい。あわせて、第２の記憶手段は、図形を表わす情報を、複数の方向についての加速度を時系列で表わす情報として記憶するための手段を含むことが望ましい。あわせて、判定手段は、決定手段と、演算手段と、対応値が閾値以下か否かを判定するための手段とを含むことが望ましい。決定手段は、記憶された順序が同じで同じ方向についての情報が対応するように、第２の記憶手段が記憶した情報のうち第１の記憶手段が記憶した情報に対応する情報を決定する。演算手段は、第１の記憶手段が情報として記憶した加速度と決定手段が決定した情報が表わす加速度との差に対応する値である対応値を演算する。対応値が閾値以下か否かを判定するための手段は、対応値が閾値以下か否かを判定する。あわせて、第２の制御手段は、演算手段が演算した値が閾値以下である場合、通信手段へ情報を送信した装置に、第３の記憶手段が記憶した情報を送信するように、通信手段を制御するための手段を含むことが望ましい。
【０００８】
もしくは、上述の演算手段は、対応値として、それぞれ第１の記憶手段が情報として記憶した加速度と決定手段が決定した情報が表わす加速度との差である、複数の値の和を演算するための手段を含むことが望ましい。
【０００９】
もしくは、上述した通信装置は、第１の受付手段と、第２の記憶手段を制御するための手段とをさらに含むことが望ましい。第１の受付手段は、ユーザから情報を受付ける。第２の記憶手段を制御するための手段は、第１の受付手段が図形を教示することを表わす情報を受付けると、検出手段が検出した、複数の方向についての加速度を時系列で表わす情報を記憶するように、第２の記憶手段を制御する。
【００１０】
また、上述した第２の記憶手段は、図形を表わす情報を、加速度の推移についての要件により表わす情報である、要件情報として記憶するための手段を含むことが望ましい。あわせて、判定手段は、検出するための手段と、判定するための手段とを含むことが望ましい。検出するための手段は、第１の記憶手段が記憶した情報から、検出手段が検出した加速度の推移を検出する。判定するための手段は、検出手段が検出した加速度の推移が、要件情報が表わす要件を満たすか否かを判定する。あわせて、第２の制御手段は、検出手段が検出した加速度の推移が、要件情報が表わす要件を満たす場合、通信手段へ情報を送信した装置に、第３の記憶手段が記憶した情報を送信するように、通信手段を制御するための手段を含むことが望ましい。
【００１１】
また、上述した通信装置は、ユーザから情報を受付けるための第１の受付手段をさらに含むことが望ましい。あわせて、第１の制御手段は、通信手段が情報を受信し、かつ受付手段が情報を受付けると、検出手段が検出した、複数の方向についての加速度を表わす情報を記憶するように、第１の記憶手段を制御するための手段を含むことが望ましい。
【００１２】
また、上述した通信装置は、第３の記憶手段が記憶した情報を送信したか否かを表わす情報を出力するための第１の出力手段をさらに含むことが望ましい。
【００１３】
また、上述した通信装置は、第２の記憶手段が記憶する情報を受付けるための第２の受付手段をさらに含むことが望ましい。
【００１４】
本発明の他の局面にしたがうと、通信システムは、第１の通信装置と第２の通信装置とを含む。第１の通信装置は、通信手段と、検出手段と、第１の記憶手段と、第１の制御手段と、第２の記憶手段と、判定手段と、第３の記憶手段と、第２の制御手段とを含む。通信手段は、通信する。検出手段は、外力を受けると、複数の方向について加速度を検出する。第１の記憶手段は、検出手段が検出した、複数の方向についての加速度を表わす情報を、検出手段が加速度を検出した順序に対応付けて記憶する。第１の制御手段は、通信手段が第２の通信装置から情報を受信すると、検出手段が検出した、複数の方向についての加速度を表わす情報を記憶するように、第１の記憶手段を制御する。第２の記憶手段は、図形を表わす情報を記憶する。判定手段は、第１の記憶手段が記憶した情報と第２の記憶手段が記憶した情報とから、検出手段の移動の軌跡が表わす図形である第１の図形と第２の記憶手段が記憶した情報が表わす図形である第２の図形とが一致するか否かを判定する。第３の記憶手段は、情報を記憶する。第２の制御手段は、第１の図形と第２の図形とが一致すると判定手段が判定した場合、第２の通信装置に、第３の記憶手段が記憶した情報を送信するように、通信手段を制御する。第２の通信装置は、通信手段と、制御手段と、記憶手段とを含む。通信手段は、第１の通信装置と通信する。制御手段は、第１の通信手段に情報を送信するように、通信手段を制御する。記憶手段は、通信手段が受信した情報を記憶する。
【発明の効果】
【００１５】
本発明に係る通信装置および通信システムは、ユーザの意図に反してデータが流出することを防止できる。
【発明を実施するための最良の形態】
【００１６】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１７】
＜第１の実施の形態＞
以下、本発明の第１の実施の形態に係る携帯電話機および通信システムについて説明する。
【００１８】
図１は、本実施の形態にかかる通信システムの制御ブロック図である。本実施の形態にかかる通信システムは、通信装置である携帯電話機１と、同じく通信装置であるリーダライタ４０とを含む。
【００１９】
図１を参照して、携帯電話機１は、当該携帯電話機１の動作を全体的に制御する制御部１０、リーダライタ４０や基地局などと情報を通信する装置であるアンテナ３０、アンテナ３０によって受信した信号の処理等を行なう無線通信部３１、第１の筐体２内に内蔵され着信時に第１の筐体２を振動させるための振動子等を含む振動部３５、音声を出力するスピーカ２２、携帯電話機１において着信時の制御に利用される種々のデータや無線通信部３１より送られてくる読み出し要求や書き込み要求に対するデータを記憶する内部データ記憶部３３、第２の筐体４に内蔵され、携帯電話機１が動かされることにより外力を受けると、携帯電話機１の方向を検出すると共に、複数の方向について加速度を検出する装置である５軸センサ５、携帯電話機１に音声を入力するためのマイク１１、画像を入力するためのカメラ１８、および、制御部１０の実行するプログラムや当該プログラムを実行するための種々のデータを記憶する主記憶部３４などを備えている。なお、本実施の形態では、「着信」とは、特記する場合を除き、電話回線を利用した通話についての着呼信号を受信することの他に、携帯電話機１が電子メールの送受信機能を有する場合には、電子メールを受信することも意味するものとする。
【００２０】
制御部１０は、処理部２３と、第１判定部２４と、演算部２５と、読出部２６と、第２判定部２７と、第１記憶部２８と、第２記憶部２９とを含む。処理部２３は、携帯電話機１の各部を制御する装置である。第１判定部２４は、第１記憶部２８が記憶した情報と第２記憶部２９が記憶した情報とを比較する装置である。演算部２５は、処理部２３および第１判定部２４の指令に応じた演算を実施する装置である。読出部２６は、内部データ記憶部３３などから情報を読出す装置である。読出部２６は、自らが読出した情報を送信するように、無線通信部３１を制御する装置でもある。第２判定部２７は、第２記憶部２９が記憶した情報のうち、第１記憶部２８が記憶した情報に対応する情報を決定する装置である。第１記憶部２８および第２記憶部２９は、後述する情報を記憶する装置である。
【００２１】
携帯電話機１では、スピーカ２２は、アンテナ３０を介して受信した音声（電話における通話相手から送られる音声等）、および、主記憶部３４に記憶された音声データに基づいた音声（着信音等）を出力することができる。前者の音声は、主に、レシーバ孔１５を介して出力され、後者の音声は、主に、スピーカ孔２１を介して出力される。
【００２２】
リーダライタ４０は、無線通信部４０２と、制御部４０４と、記憶部４０６と、出力部４０８とを含む。無線通信部４０２は、携帯電話機１と通信する。制御部４０４は、携帯電話機１に、情報の送信を要求する情報を送信するように、無線通信部４０２を制御する。記憶部４０６は、無線通信部４０２が受信した情報を記憶する。出力部４０８は、記憶部４０６が記憶した情報を出力する。本実施の形態の場合、出力部４０８の筐体には、円を表わす図形が表示されている。これにより、リーダライタ４０は、図形を表示する筐体を含むこととなる。
【００２３】
図２は、本発明の携帯端末の一実施の形態である携帯電話機の斜視図である。
携帯電話機１は、主に、第１の筐体２と第２の筐体４から構成される。
【００２４】
第１の筐体２には、突出部８が取付けられている。突出部８には、ヒンジ部３が、当該突出部８の左右両端と接続されるように、軸Ａ１を回転軸として回動可能に、取付けられている。ヒンジ部３には、第２の筐体４が、当該ヒンジ部３に対して軸Ａ２を回転軸として回動可能に、取付けられている。
【００２５】
第１の筐体２には、その主面に、ユーザから、５軸センサ５に情報を採取させるか否かを切替えるなどの操作のための、情報を受付ける機能ボタン群６と、ユーザから電話番号等の情報を受付けるための入力ボタン群９とが設けられ、さらに、後述するマイク（マイク１１）に音声を入力するための第１のマイク孔１１Ａ、および、第２のマイク孔１１Ｂが設けられている。また、第１の筐体２の側面には、後述するカメラ（カメラ１８）のシャッタボタン１２およびＬＥＤ（light emitting diode）３６が設けられている。
【００２６】
第２の筐体４には、その主面に、ほぼ長方形状の第１の表示部１４およびレシーバ孔１５が備えられている。第１の表示部１４は、ユーザに通知するため、表示として、様々な情報を出力する装置である。本実施の形態の場合、第１の表示部１４が通知する「様々な情報」には、携帯電話機１を動かした軌跡とユーザが予め登録した軌跡とを比較した結果の情報や、内部データ記憶部３３が記憶した情報を送信したか否かを表わす情報が含まれる。
【００２７】
図３は、携帯電話機１の、図２に示される状態から、ヒンジ部３が軸Ａ１に沿って回動されることにより、折り畳まれて、第２の筐体４と第１の筐体２とが対向するようにされた状態を示す図である。また、図４は、携帯電話機１の、図３に示された状態の裏面を示す図である。なお、図３および図４に示された状態に対して、図２に示された携帯電話機１の状態を、「開かれた状態」と呼ぶ。
【００２８】
図３および図４に示されるように、携帯電話機１が折り畳まれた状態では、第１の筐体２と第２の筐体４とは、その主面同士が当接している。
【００２９】
そして、特に図４に示されるように、第１の筐体２の主面の裏面には、第２の表示部２０、後述するカメラ（カメラ１８）の撮影レンズ１８Ａ、当該カメラの撮影に利用されるフラッシュ１９、および、スピーカ孔２１が設けられている。
【００３０】
図５に、５軸センサ５の詳細な構成を示し、図６に、５軸センサ５の携帯電話機１の第２の筐体４内の配置を示す。
【００３１】
５軸センサ５は、磁気センサ５１と加速度センサ５２とを含む。
なお、携帯電話機１では、図６に主に示されるように、５軸センサ５に対して、Ｘ軸、Ｙ軸、および、Ｚ軸の３つの軸が定義されている。Ｘ軸は、第１の表示部１４の短辺方向に沿った軸であり、Ｙ軸は、Ｘ軸に垂直であり第１の表示部１４の長辺方向に沿った軸であり、Ｚ軸は、Ｘ軸およびＹ軸に垂直である、つまり、第１の表示部１４の表示面に垂直
である軸である。
【００３２】
そして、磁気センサ５１は、第２の筐体４についての、Ｘ軸方向、Ｙ軸方向、および、Ｚ軸方向の磁気を検出できるセンサであり、それぞれの方向の磁気成分の検出結果を、ＭＸ、ＭＹ、ＭＺという検出値として出力する。携帯電話機１では、後述するように、ＭＸ、ＭＹ、ＭＺという検出値は、それぞれ、第２の筐体４についての、Ｘ軸方向、Ｙ軸方向、および、Ｚ軸方向の回転角の尺度として利用される。また、加速度センサ５２は、第２の筐体４に対して定義されたＸ軸方向およびＹ軸方向についての加速度を検出できるセンサであり、それぞれの方向についての加速度の検出結果を、ＡＸ、ＡＹという検出値として出力する。携帯電話機１では、後述するように、ＡＸ、ＡＹという検出値は、それぞれ、第２の筐体４のＸ軸方向およびＹ軸方向の傾きの尺度や、５軸センサ５（厳密には加速度センサ５２）の移動の軌跡を特定するための情報として利用される。
【００３３】
次に、内部データ記憶部３３の記憶内容を説明する。図７、図８、図９、および図１０に、内部データ記憶部３３の記憶内容を示す。
【００３４】
内部データ記憶部３３には、図７〜図９に示すように、ＭＸ、ＭＹ、ＭＺのそれぞれについて、地磁気の値に対して範囲が定義され、また、各範囲ごとに、第２の筐体４の方向が関連付けられている。なお、図７〜図９から理解されるように、ＭＸについては、Ｘ１、Ｘ２等の値が、範囲の定義に利用されている。また、ＭＹについては、Ｙ１、Ｙ２等の値が、範囲の定義に利用されている。また、ＭＺについては、Ｚ１、Ｚ２等の値が、範囲の定義に利用されている。そして、後述する処理により、ＭＸ、ＭＹ、または、ＭＺの値に基づいて、Ａ〜Ｄのいずれかの方向が決定される。
【００３５】
図１０から理解されるように、内部データ記憶部３３には、上述した地磁気の値および第２の筐体４の方向の情報に加え、着信音（の種類）、着信音量、着信時に振動部３５を利用して第１の筐体２を振動させる際の振動パターンである着信時振動パターン、着信時表示画像、着信時の着信音の出力やＬＥＤ３６の点灯に関する設定（着信設定）、および、着信時のＬＥＤ３６の点灯パターンである着信時点灯パターンについての情報が記憶されている。
【００３６】
図１０中の着信音としては、主記憶部３４に記憶されている音声ファイルの中から着信音として選択された音声ファイルのファイル名が記憶されている。
【００３７】
図１０中の着信音量としては、携帯電話機１において予め定められている音量レベルのいずれかが記憶されている。
【００３８】
図１０中の着信時振動パターンとしては、パターン１〜４という予め定められたパターンの中の１つが設定されている。なお、設定される各パターンと当該パターンに対応する振動部３５の制御パターンとを関連付ける情報は、たとえば主記憶部３４に記憶されている。
【００３９】
図１０中の着信時表示画像としては、主記憶部３４に記憶されている画像ファイルの中から着信時に第１の表示部１４に表示させる画像として選択された画像のファイル名が記憶されている。
【００４０】
また、図１０中の着信設定としては、着信時の着信音の出力に関する「音声」とＬＥＤ３６の点灯に関する「ライト」の２種類の情報が記憶されている。
【００４１】
着信設定中の音声に関する情報としては、通常モードかマナーモードのいずれかが設定されている。通常モードとは、着信音量として設定されているレベルで着信音を出力させるモードであり、マナーモードとは、着信音量として設定されているレベルに関係なく着信音を出力させないモードである。なお、マナーモードでは、着信時に、振動部３５に第１の筐体２を振動させるか否かの選択が可能に構成されても良い。
【００４２】
着信設定中のライトに関する情報としては、ＯＮかＯＦＦのいずれかが設定されている。ＯＮとは、着信時に、ＬＥＤ３６に、着信がある旨を示すために点灯させる設定であり、ＯＦＦとは、着信時でも、ＬＥＤ３６にそのような点灯動作を行なわせないようにする設定である。
【００４３】
図１０中の着信時点灯パターンとしては、着信時にＬＥＤ３６を点灯させるパターンとして、パターン１〜４という予め定められたパターンの中の１つが設定されている。なお、設定される各パターンと当該パターンに対応するＬＥＤ３６の制御パターンとを関連付ける情報は、たとえば主記憶部３４に記憶されている。
【００４４】
携帯電話機１では、機能ボタン群６および入力ボタン群９を適宜操作されることにより、図１０に示された各設定内容が変更可能とされている。
【００４５】
なお、携帯電話機１では、制御部１０は、無線通信部３１がアンテナ３０から受信した信号をチェックする。そして、制御部１０は、無線通信部３１が着呼信号や電子メールを受信すると、つまり、携帯電話機１の着信時に、予め定められた制御を実行する。
【００４６】
次に、第１記憶部２８および第２記憶部２９の記憶内容を説明する。図１１に、第１記憶部２８および第２記憶部２９の記憶内容を示す。
【００４７】
図１１から理解されるように、第１記憶部２８および第２記憶部２９には、５軸センサ５の各種の検出値（センサ検出値）についての情報が記憶される。第１記憶部２８および第２記憶部２９には、センサ検出値についての情報が時系列で記憶される。これにより、第１記憶部２８は、５軸センサ５が検出した、複数の方向についての加速度を表わす情報を時系列で記憶する装置となる。第２記憶部２９が記憶する情報は、携帯電話機１のメーカにより予め登録された、比較用のセンサ検出値の情報である。センサ検出値についての情報は、複数の方向についての加速度を時系列で表わす情報を含む。複数の方向についての加速度を時系列で表わす情報は、５軸センサ５の移動の軌跡が表わす図形を表わすことができる。これにより、第２記憶部２９は、図形を表わす情報を、複数の方向についての加速度を時系列で表わす情報として記憶する装置となる。
【００４８】
図５を参照して説明されたように、第１記憶部２８および第２記憶部２９には、センサ検出値として、磁気センサ５１および加速度センサ５２の検出値であるＭＸ、ＭＹ、ＭＺ、ＡＸ、および、ＡＹが時系列に記憶されている。なお、これらの検出値は、制御部１０によって、５軸センサ５から適宜読み出され、第１記憶部２８に適宜記憶される。
【００４９】
図１２を参照して、携帯電話機１で実行されるプログラムは、内部データ記憶部３３が記憶した情報の通信に関し、以下のような制御を実行する。
【００５０】
まず、ステップ１００（以下、ステップをＳと略す。）にて、ユーザが携帯電話機１をリーダライタ４０に近づけると、携帯電話機１の無線通信部３１は、リーダライタ４０が送出した無線信号を受信する。
【００５１】
Ｓ１０２にて、ユーザは、機能ボタン群６のうち軌跡の検出用のボタンを押す。機能ボタン群６のボタンは、ユーザの指がボタンを押したことを検知する。機能ボタン群６のボタンが押されると、処理部２３は、５軸センサ５に対し、携帯電話機１を動かした軌跡の情報（本実施の形態の場合、実際にはセンサ検出値）を採取するよう命じる信号を出力する。
【００５２】
Ｓ１０４にて、ユーザは、機能ボタン群６のボタンを押したまま、携帯電話機１を移動させる。機能ボタン群６のボタンが押されると、処理部２３は、携帯電話機１の方向を検出する。この処理は、予め定められた周期で後述するＳ４０１〜Ｓ４１１の処理を実施することに相当する。方向が検出されると、携帯電話機１が移動する間、５軸センサ５は、処理部２３の制御により、携帯電話機１を動かした軌跡の情報（本実施の形態の場合、実際には複数の方向についての加速度を表わす情報）を採取する。採取された情報は第１記憶部２８に記憶される。これにより、処理部２３は、無線通信部３１が情報を受信し、かつ機能ボタン群６が情報を受付けると、５軸センサ５が検出した、複数の方向についての加速度を表わす情報を記憶するように、第１記憶部２８を制御することとなる。
【００５３】
Ｓ１０６にて、第２判定部２７は、第２判定部２７は、記憶された順序が同じで同じ方向についての情報が対応するように、第２記憶部２９がセンサ検出値を表わす情報として記憶した加速度のうち、第１記憶部２８がセンサ検出値を表わす情報として記憶した加速度に対応する値を決定する。本実施の形態の場合、第１記憶部２８に記憶されたセンサ検出値と、第２記憶部２９に記憶されているセンサ検出値とは、時系列に記憶されている。これにより、第２判定部２７は、記憶された順序が同じで同じ方向についての情報が対応するように、値を決定することができる。
【００５４】
Ｓ１０８にて、演算部２５は、対応値を演算する。「対応値」とは、第１記憶部２８が記憶した加速度と第２判定部２７が決定した加速度との差に対応する値である。本実施の形態の場合、演算部２５は、第２判定部２７が値を決定した加速度すべてについての、第１記憶部２８が記憶した加速度と第２判定部２７が決定した加速度との差の総和を算出する。これにより、演算部２５は、「対象値」として、それぞれ第１記憶部２８が記憶した加速度と第２判定部２７が決定した加速度との差である、複数の値の和を演算することとなる。
【００５５】
Ｓ１１０にて、第１判定部２４は、第１記憶部２８に記憶された軌跡の情報と、事前にユーザより登録され、かつ第２記憶部２９に記憶されている情報(たとえば円や線などの図形を描く、軌跡の情報)とが一致するか否かを判断する。本実施の形態の場合、対象値が予め携帯電話機１のメーカにより第２記憶部２９に記憶されていた閾値以下であれば、第１判定部２４は、第１記憶部２８に記憶された軌跡の情報と、第２記憶部２９に記憶されている情報とが一致すると判断する。携帯電話機１の向きや加速度の推移が、携帯電話機１の軌跡に対応するためである。第１記憶部２８に記憶された軌跡の情報と、第２記憶部２９に記憶されている情報とが一致すると判断した場合（Ｓ１１０にてＹＥＳ）、処理はＳ１１２へと移される。もしそうでないと（Ｓ１１０にてＮＯ）、処理はＳ１１８へと移される。Ｓ１１２にて、読出部２６は、内部データ記憶部３３へのアクセス、つまり、読み出し要求や書き込み要求に応じる処理を行なうため、無線通信部３１を制御する。
【００５６】
Ｓ１１４にて、処理部２３は、処理の結果を表示するように第１の表示部１４を制御する。これにより、正常に処理された旨またはアクセスを拒絶した旨がユーザに通知される。
【００５７】
Ｓ１１６にて、機能ボタン群６のボタンは、ユーザの指が離れたことを検知する。機能ボタン群６のボタンからユーザの指が離れると、処理部２３は、５軸センサ５に対し、携帯電話機１を動かした軌跡の情報（本実施の形態の場合、実際にはセンサ検出値）の採取を終了するよう命じる信号を出力する。
【００５８】
Ｓ１１８にて、処理部２３は、内部データ記憶部３３へのアクセスを拒否する旨を返信するように、無線通信部３１を制御する。
【００５９】
図１３を参照して、携帯電話機１で実行されるプログラムは、軌跡の情報の採取に関し、以下のような制御を実行する。
【００６０】
Ｓ４０１にて、制御部１０の処理部２３は、５軸センサ５のＸ軸方向についての重力加速度、つまり、ＡＸを計測し、第１記憶部２８に記憶させる。
【００６１】
Ｓ４０２にて、制御部１０の処理部２３は、５軸センサ５のＹ軸方向についての重力加速度、つまり、ＡＹを計測し、第１記憶部２８に記憶させる。
【００６２】
Ｓ４０３にて、制御部１０の処理部２３は、Ｘ軸方向の重力加速度とＹ軸方向の重力加速度とをチェックし、両者が、それぞれに対して予め定められた閾値を超えていないか否かを判断する。両者が、それぞれに対して予め定められた閾値を超えていないと判断した場合（Ｓ４０３にてＹＥＳ）、処理はＳ４０４へと移される。もしそうでないと（Ｓ４０３にてＮＯ）、処理はＳ４０６へと移される。
【００６３】
なお、Ｘ軸方向の重力加速度が大きくなるということは、図６に示したように、第２の筐体４（５軸センサ５）に対して定義されたＸ軸方向の、水平方向に対する傾きが、大きくなることを言う。つまり、Ｘ軸方向の重力加速度の値が大きくなるほど、携帯電話機１において、第２の筐体４の主面が、水平面に対して、Ｙ軸方向周りで大きく傾いた状態にあることになる。
【００６４】
また、Ｙ軸方向の重力加速度が大きくなるということは、第２の筐体４が、第２の筐体４（５軸センサ５）に対して定義されたＹ軸方向の、水平方向に対する傾きが、大きくなることを言う。つまり、Ｙ軸方向の重力加速度の値が大きくなるほど、携帯電話機１において、第２の筐体４の主面が、水平面に対して、Ｘ軸方向周りで大きく傾いた状態にあることになる。
【００６５】
そして、本実施の形態において、Ｘ軸方向およびＹ軸方向の重力加速度がいずれも閾値を超えていない状態とは、５軸センサ５が図１４に示された状態、つまり、図１５に示されたように、携帯電話機１が比較的大きく開かれ、第２の筐体４の主面が比較的水平面に近い角度にある状態を意味する。第２の筐体４の主面が比較的水平面に近い角度にある状態とは、具体的には、たとえば、第２の筐体４（５軸センサ５）に対して定義されたＸ軸の水平面に対する角度が１５°以内であり、かつ、第２の筐体４（５軸センサ５）に対して定義されたＹ軸の水平面に対する角度が４０°以内である場合とすることができる。
【００６６】
Ｓ４０４にて、制御部１０の処理部２３は、方向を検出するために利用する軸を、５軸センサ５に対して定義された３つの軸の中のＺ軸に設定する。
【００６７】
Ｓ４０５にて、制御部１０の処理部２３は、Ｚ軸の地磁気、つまり、Ｚ軸方向の磁気成分（ＭＺ）を計測し、第１記憶部２８に記憶させる。
【００６８】
Ｓ４０６にて、制御部１０の処理部２３は、Ｙ軸方向の重力加速度が、予め定められた閾値を超えているか否かを判断する。Ｙ軸方向の重力加速度が、予め定められた閾値を超えていると判断した場合（Ｓ４０６にてＹＥＳ）、処理はＳ４０７へと移される。もしそうでないと（Ｓ４０６にてＮＯ）、つまり、Ｘ軸方向の重力加速度のみが、予め定められた閾値を超えていると判断した場合、処理はＳ４０９へと移される。
【００６９】
なお、Ｙ軸方向の重力加速度のみが閾値を超えている場合とは、図１６および図１７に示すように、第２の筐体４（５軸センサ５）に対して定義されたＹ軸が水平面に対して比較的大きく傾き、Ｘ軸は比較的水平面に沿った状態、具体的には、たとえば、Ｙ軸と水平面のなす角が４０°を超え、Ｘ軸と水平面とのなす角が１５°以内である状態、であると考えられる。
【００７０】
また、Ｘ軸方向の重力加速度のみが閾値を越えている場合とは、図１８および図１９に示すように、第２の筐体４（５軸センサ５）に対して定義されたＸ軸が水平面に対して比較的大きく傾き、Ｙ時は比較的水平面に沿った状態、具体的には、たとえば、Ｘ軸と水平面のなす角が１５°を超え、Ｙ軸と水平面とのなす角が４０°以内である状態、であると考えられる。
【００７１】
Ｓ４０７にて、制御部１０の処理部２３は、方向を検出するために利用する軸を、５軸センサ５に対して定義された３つの軸の中のＹ軸に設定する。
【００７２】
Ｓ４０８にて、制御部１０の処理部２３は、Ｙ軸の地磁気、つまり、Ｙ軸方向の磁気成分（ＭＹ）を計測し、第１記憶部２８に記憶させる。
【００７３】
Ｓ４０９にて、制御部１０の処理部２３は、方向を検出するために利用する軸を、５軸センサ５に対して定義された３つの軸の中のＸ軸に設定する。
【００７４】
Ｓ４１０にて、制御部１０の処理部２３は、Ｘ軸の地磁気、つまり、Ｘ軸方向の磁気成分（ＭＸ）を計測し、第１記憶部２８に記憶させる。
【００７５】
Ｓ４１１にて、制御部１０の処理部２３は、Ｓ４０５、Ｓ４０８、または、Ｓ４１０のいずれかで計測した地磁気のデータ（ＭＸ、ＭＹ、または、ＭＺ）に基づいて、第２の筐体４の方向を決定する。
【００７６】
なお、内部データ記憶部３３には、図７〜図９に示すように、ＭＸ、ＭＹ、ＭＺのそれぞれについて、地磁気の値に対して範囲が定義され、また、各範囲ごとに、第２の筐体４の方向が関連付けられている。なお、図７〜図９から理解されるように、ＭＸについては、Ｘ１、Ｘ２等の値が、範囲の定義に利用されている。また、ＭＹについては、Ｙ１、Ｙ２等の値が、範囲の定義に利用されている。また、ＭＺについては、Ｚ１、Ｚ２等の値が、範囲の定義に利用されている。これにより、Ｓ４１１にて、ＭＸ、ＭＹ、または、ＭＺの値に基づいて、Ａ〜Ｄのいずれかの方向が決定される。
【００７７】
以上のような構造およびフローチャートに基づく、携帯電話機１の動作について説明する。
【００７８】
ユーザが携帯電話機１をリーダライタ４０に近づけると、携帯電話機１の無線通信部３１は、リーダライタ４０が送出した無線信号を受信する（Ｓ１００）。無線信号が受信されると、ユーザは、機能ボタン群６のうち軌跡の検出用のボタンを押す。処理部２３は、５軸センサ５に対し、センサ検出値を採取するよう命じる信号を出力する（Ｓ１０２）。
【００７９】
信号が出力された後も、ユーザは、機能ボタン群６のボタンを押したまま、携帯電話機１を移動させる。制御部１０の処理部２３は、５軸センサ５のＸ軸方向についての重力加速度、つまり、ＡＸを計測し、第１記憶部２８に記憶させる（Ｓ４０１）。ＡＸが計測されると、制御部１０の処理部２３は、５軸センサ５のＹ軸方向についての重力加速度、つまり、ＡＹを計測し、第１記憶部２８に記憶させる（Ｓ４０２）。ＡＹが計測されると、制御部１０の処理部２３は、Ｘ軸方向の重力加速度とＹ軸方向の重力加速度とが、それぞれに対して予め定められた閾値を超えていないか否かを判断する（Ｓ４０３）。両者が、それぞれに対して予め定められた閾値を超えていないとすると（Ｓ４０３にてＹＥＳ）、制御部１０の処理部２３は、方向を検出するために利用する軸を、５軸センサ５に対して定義された３つの軸の中のＺ軸に設定する（Ｓ４０４）。軸がＺ軸に設定されると、制御部１０の処理部２３は、Ｚ軸の地磁気、つまり、Ｚ軸方向の磁気成分（ＭＺ）を計測し、第１記憶部２８に記憶させる（Ｓ４０５）。磁気成分（ＭＺ）が計測されると、制御部１０の処理部２３は、地磁気のデータ（ＭＺ）に基づいて、第２の筐体４の方向を決定する（Ｓ４１１）。採取された情報は第１記憶部２８に記憶される。情報が記憶されると、携帯電話機１が移動する間、５軸センサ５は、複数の方向についての加速度を表わす情報を採取する。採取された情報は第１記憶部２８に記憶される。
【００８０】
携帯電話機１が停止すると、第２判定部２７は、第２記憶部２９が記憶したセンサ検出値のうち、第１記憶部２８に対応する値を決定する（Ｓ１０６）。値が決定されると、演算部２５は、対象値を算出する（Ｓ１０８）。対象値が算出されると、第１判定部２４は、第１記憶部２８に記憶された軌跡の情報と、第２記憶部２９に記憶されている情報とが一致するか否かを判断する（Ｓ１１０）。これにより、第１判定部２４は、第１記憶部２８が記憶した情報と第２記憶部２９が記憶した情報とから、５軸センサ５の移動の軌跡が表わす図形と第２記憶部２９が記憶した情報が表わす図形とが一致するか否かを判定することとなる。この場合、第１記憶部２８に記憶された軌跡の情報と、第２記憶部２９に記憶されている情報とが一致することとすると（Ｓ１１０にてＹＥＳ）、読出部２６は、内部データ記憶部３３へのアクセスに応じる処理を行なうため、無線通信部３１を制御する（Ｓ１１２）。これにより、読出部２６は、５軸センサ５の移動の軌跡が表わす図形と第２記憶部２９が記憶した情報が表わす図形とが一致すると第１判定部２４が判定した場合、無線通信部３１へ情報を送信した装置（リーダライタ４０）に、内部データ記憶部３３が記憶した情報を送信するように、無線通信部３１を制御することとなる。本実施の形態の場合、読出部２６は、５軸センサ５の移動の軌跡が表わす図形と第２記憶部２９が記憶した情報が表わす図形とが一致するか否を判断するために、演算部２５が演算した値が閾値以下であるか否を判断することとなる。無線通信部３１が制御されると、処理部２３は、正常に処理された旨を表示するように第１の表示部１４を制御する（Ｓ１１４）。正常に処理された旨が表示された後、機能ボタン群６のボタンは、ユーザの指が離れたことを検知する（Ｓ１１６）。
【００８１】
以上のようにして、本案施の形態に係る携帯電話機は、ＩＣ（Integrated Circuit）カードなどの非接触媒体の一種として、ユーザによる携帯端末の移動の軌跡に応じて、内部データへアクセスを許可するか否かを判断する。従来、ＩＣカードなどの非接触媒体は、カード処理装置から無線信号として送られてくる読出し要求や書き込み要求などがあると、それらの要求に応じて内部データの読出しや書き込みを行っていた。本案施の形態に係る携帯電話機は、単に読出し要求や書き込み要求などがあっただけでは、内部データの読出しや書き込みを実施しない。これにより、携帯端末の内部データへの不正アクセスを防ぐことができる。ユーザは、意図したタイミングおよび意図した入力方法により携帯電話機の活用および制御を行なうことができる。その結果ユーザの意図に反してデータが流出することを防止できる携帯電話機を提供できる。
【００８２】
なお、携帯電話機１に代えて、同様の構造を有するＩＣカードなどの非接触媒体が、上述した処理を行ってもよい。
【００８３】
また、Ｓ１０２にて、処理部２３は、機能ボタン群６のボタンが押されるのを待つことなく、５軸センサ５に対し、センサ検出値を採取するよう命じる信号を出力してもよい。この場合、処理部２３は、無線通信部３１が情報を受信すると、５軸センサ５が検出した、複数の方向についての加速度を表わす情報を記憶するように、第１記憶部２８を制御することとなる。
【００８４】
また、Ｓ１０４にて、ユーザは、リーダライタ４０に表示された図形をなぞるように携帯電話機１を移動させてもよい。この場合、第２記憶部２９に記憶される情報は、リーダライタ４０に表示された図形と同じ形状を表わす情報になる。
【００８５】
また、Ｓ１０８にて、対象値の算出の手順は、第１記憶部２８に記憶されたセンサ検出値と、第２記憶部２９に記憶されているセンサ検出値との差を用いて算出する限り、特に限定されない。たとえば、センサ検出値の差を算出した後に用いる数式は、上述した説明と異なっていてもよい。第１記憶部２８に記憶されたセンサ検出値と、第２記憶部２９に記憶されているセンサ検出値との差を用いて算出する限り、演算部２５は、第１記憶部２８が記憶した加速度と第２判定部２７が決定した加速度との差に対応する値を演算することとなる。
【００８６】
また、Ｓ１００〜Ｓ１１６の各ステップにおいて、処理部２３は、処理部２３が実施中の処理の進捗を表示するように、第１の表示部１４および第２の表示部２０のいずれかを制御してもよい。
【００８７】
また、第１記憶部２８に記憶される情報は、５軸センサ５がセンサ検出値を検出した順序に対応付けて記憶された、５軸センサ５の各種の検出値（センサ検出値）についての情報であってもよい。これにより、第１記憶部２８は、５軸センサ５が検出した、複数の方向についての加速度を表わす情報を、５軸センサ５が加速度を検出した順序に対応付けて記憶することとなる。
【００８８】
また、第２記憶部２９に記憶される情報は、携帯電話機１のユーザによって登録された情報であってもよい。ユーザが第２記憶部２９にセンサ検出値の情報を登録するためには、次の処理のいずれかが必要である。第１の処理は、処理部２３が、入力ボタン群９がユーザから図形を教示することを表わす信号を受付けると、５軸センサ５が検出した、複数の方向についての加速度を時系列で表わす情報を記憶するように、第２記憶部２９を制御する処理である。このような処理により第２記憶部２９に記憶されたセンサ検出値の情報が、比較用のセンサ検出値の情報となる。第２の処理は、無線通信部３１が、処理部２３の制御により、第２記憶部２９が記憶する情報を受付ける処理である。この場合、ユーザは、複数の方向についての加速度を時系列で表わす情報を、任意の送信機を用いて無線通信部３１に送信する必要がある。
【００８９】
＜第２の実施の形態＞
以下、本発明の第２の実施の形態に係る携帯電話機および通信システムについて説明する。
【００９０】
図２０は、本実施の形態にかかる通信システムの制御ブロック図である。
図２０を参照して、通信システムは、リーダライタ４０と、携帯電話機５０とを含む。携帯電話機５０は、第１の実施の形態にかかる制御部１０に代え、制御部６０を含む。
【００９１】
制御部６０は、処理部２３と、演算部２５と、第１記憶部２８と、第２記憶部２９と、判定部６２と、検出部６４と、読出部６６とを含む。判定部６２は、第１記憶部２８が記憶した情報と第２記憶部２９が記憶した情報とを比較する装置である。検出部６４は、第１記憶部２８が記憶した情報に基づき、推移を検出する装置である。読出部６６は、内部データ記憶部３３などから情報を読出す装置である。読出部６６は、自らが読出した情報を送信するように、無線通信部３１を制御する装置でもある。第２記憶部２９は、図形を表わす情報を、加速度の推移についての要件により表わす情報である、要件情報として記憶する装置となる。本実施の形態の場合、要件情報は、後述する数列の要件を表わす情報となる。たとえば、要件情報が円形を表わす情報とすると、要件情報は、同じ方向に分類されるベクトルが連続することを表わす情報となる。５軸センサ５の移動の軌跡が円形とすれば、５軸センサ５は常に同じ方向に移動しているはずだからである。なお、その他のハードウェア構成については前述の第１の実施の形態と同じである。それらについての機能も同じである。したがって、それらについての詳細な説明はここでは繰返さない。
【００９２】
図２１を参照して、携帯電話機５０で実行されるプログラムは、内部データ記憶部３３が記憶した情報の通信に関し、以下のような制御を実行する。なお、図２１示すフローチャートの中で、前述の図１２に示した処理は同じステップ番号を付してある。それらの処理も同じである。したがって、それらについての詳細な説明はここでは繰返さない。
【００９３】
Ｓ２００にて、検出部６４は、第１記憶部２８が記憶した情報から、５軸センサ５が検出した加速度の推移を検出する。本実施の形態の場合、検出部６４は、次の手順により加速度の推移を検出する。第１の手順は、５軸センサ５が検出した複数の方向についての加速度から、加速度のベクトルを作成する手順である。第２の手順は、作成されたベクトルの方向を、携帯電話機１のメーカにより予め定められたグループのいずれかに分類する手順である。第３の手順は、作成されたベクトルを時系列に並べた場合、作成されたベクトルが属するグループの順序を数列化する手順である。
【００９４】
Ｓ２０２にて、判定部６２は、第１記憶部２８に記憶された軌跡の情報と、事前にユーザより登録され、かつ第２記憶部２９に記憶されている情報とが一致するか否かを判断する。本実施の形態の場合、判定部６２は、検出部６４が検出した加速度の推移が、要件情報が表わす要件を満たすか否かを判定することにより、第１記憶部２８に記憶された軌跡の情報と、事前にユーザより登録され、かつ第２記憶部２９に記憶されている情報とが一致するか否かを判断する。第１記憶部２８に記憶された軌跡の情報と、第２記憶部２９に記憶されている情報とが一致すると判断した場合（Ｓ２０２にてＹＥＳ）、処理はＳ１１２へと移される。もしそうでないと（Ｓ２０２にてＮＯ）、処理はＳ１１８へと移される。
【００９５】
Ｓ２０４にて、読出部６６は、内部データ記憶部３３へのアクセス、つまり、読み出し要求や書き込み要求に応じる処理を行なうため、無線通信部３１を制御する。これにより、読出部６６は、５軸センサ５が検出した加速度の推移が、要件情報が表わす要件を満たす場合、無線通信部３１へ情報を送信した装置（リーダライタ４０）に、内部データ記憶部３３が記憶した情報を送信するように、無線通信部３１を制御することとなる。
【００９６】
以上のような構造およびフローチャートに基づく、携帯電話機１の動作について説明する。
【００９７】
携帯電話機１が停止すると、検出部６４は、第１記憶部２８が記憶した情報から、５軸センサ５が検出した加速度の推移を検出する（Ｓ２００）。加速度の推移が検出されると、判定部６２は、第１記憶部２８に記憶された軌跡の情報と、事前にユーザより登録され、かつ第２記憶部２９に記憶されている情報とが一致するか否かを判断する（Ｓ２０２）。第１記憶部２８に記憶された軌跡の情報と、第２記憶部２９に記憶されている情報とが一致すると判断した場合（Ｓ２０２にてＹＥＳ）、読出部６６は、内部データ記憶部３３へのアクセスを行なうため、無線通信部３１を制御する（Ｓ２０４）。
【００９８】
以上のようにして、本案施の形態に係る携帯電話機は、ユーザによる携帯端末の移動の軌跡に応じて、内部データへアクセスを許可するか否かを判断する。これにより、携帯端末の内部データへの不正アクセスを防ぐことができる。ユーザは、意図したタイミングおよび意図した入力方法により携帯電話機の活用および制御を行なうことができる。その結果ユーザの意図に反してデータが流出することを防止できる携帯電話機を提供できる。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１００】
【図１】本発明の携帯端末の第１の実施の形態である携帯電話機の制御ブロック図である。
【図２】図１の携帯電話機の斜視図である。
【図３】図２の携帯電話機の、ヒンジ部が軸に沿って回動されることにより、折り畳まれて、第２の筐体と第１の筐体とが対向するようにされた状態を示す図である。
【図４】図３の携帯電話機の裏面を示す図である。
【図５】図１の５軸センサの詳細な構成を示す図である。
【図６】図２の携帯電話機の第１の筐体における５軸センサの配置を示す図である。
【図７】内部データ記憶部が記憶した情報の一例を示す図である。
【図８】内部データ記憶部が記憶した情報の他の例を示す図である。
【図９】内部データ記憶部が記憶した情報のさらに他の例を示す図である。
【図１０】内部データ記憶部が記憶した設定値の情報の例を示す図である。
【図１１】第１記憶部および第２記憶部が記憶したセンサ検出値の情報の例を示す図である。
【図１２】内部データ記憶部が記憶した情報の通信処理の制御の手順を示すフローチャートである。
【図１３】図１２の方向計測処理のサブルーチンのフローチャートである。
【図１４】図２の携帯電話機における、５軸センサの状態の一例を示す図である。
【図１５】図２の携帯電話機の状態の一例を示す図である。
【図１６】図２の携帯電話機における、５軸センサの状態の他の例を示す図である。
【図１７】図２の携帯電話機の状態の他の例を示す図である。
【図１８】図２の携帯電話機における、５軸センサの状態のさらに他の例を示す図である。
【図１９】図２の携帯電話機の状態のさらに他の例を示す図である。
【図２０】本発明の携帯端末の第２の実施の形態である携帯電話機の制御ブロック図である。
【図２１】第２の実施の形態にかかる内部データ記憶部が記憶した情報の通信処理の制御の手順を示すフローチャートである。
【符号の説明】
【０１０１】
１，５０  携帯電話機、２  第１の筐体、３  ヒンジ部、４  第２の筐体、５  ５軸センサ、６  機能ボタン群、８  突出部、９  入力ボタン群、１０，６０，４０４  制御部、１１  マイク、１１Ａ  第１のマイク孔、１１Ｂ  第２のマイク孔、１２  シャッタボタン、１４  第１の表示部、１５  レシーバ孔、１８  カメラ、１８Ａ  撮影レンズ、１９  フラッシュ、２０  第２の表示部、２１  スピーカ孔、２２  スピーカ、２３  処理部、２４  第１判定部、２５  演算部、２６，６６  読出部、２７  第２判定部、２８  第１記憶部、２９  第２記憶部、３０  アンテナ、３１，４０２  無線通信部、３３  内部データ記憶部、３４  主記憶部、３５  振動部、３６  ＬＥＤ、４０  リーダライタ、５１  磁気センサ、５２  加速度センサ、６２  判定部、６４  検出部、４０６  記憶部。
【図１】
2007005967.tif 000003
【図２】
2007005967.tif 000004
【図３】
2007005967.tif 000005
【図４】
2007005967.tif 000006
【図５】
2007005967.tif 000007
【図６】
2007005967.tif 000008
【図７】
2007005967.tif 000009
【図８】
2007005967.tif 000010
【図９】
2007005967.tif 000011
【図１０】
2007005967.tif 000012
【図１１】
2007005967.tif 000013
【図１２】
2007005967.tif 000014
【図１３】
2007005967.tif 000015
【図１４】
2007005967.tif 000016
【図１５】
2007005967.tif 000017
【図１６】
2007005967.tif 000018
【図１７】
2007005967.tif 000019
【図１８】
2007005967.tif 000020
【図１９】
2007005967.tif 000021
【図２０】
2007005967.tif 000022
【図２１】
2007005967.tif 000023